(57)【要約】【課題】  被射出体を引っ張る紐状部材の長さ考慮せずに製造できるので、小型化できる射出ゲーム装置を提供する。【解決手段】  被射出体を目標物に向かって射出する射出装置と、被射出体に一端が連結された紐状部材と、射出装置によって射出させられた被射出体を射出装置の射出位置まで引き戻す引き戻し装置とからなり、引き戻し装置は、紐状部材を挟持する一対のローラと、一方のローラを回動させて紐状部材を引き寄せ、被射出体を射出装置の射出位置まで引き戻す駆動手段と、他方のローラを一方のローラから離間させ、射出時に紐状部材を挟持状態から解放している解放手段とからなる。【選択図】  図１
2006051384.tif 000002
【特許請求の範囲】
【請求項１】
装置本体内に設けられた目標物に向かって被射出体を射出する射出ゲーム装置であって、
被射出体を目標物に向かって射出する射出装置と、
被射出体に一端が連結された紐状部材と、
射出装置によって射出させられた被射出体を射出装置の射出位置まで引き戻す引き戻し装置とからなり、
引き戻し装置は、
紐状部材を挟持する一対のローラと、
一方のローラを回動させて紐状部材を引き寄せ、被射出体を射出装置の射出位置まで引き戻す駆動手段と、
他方のローラを一方のローラから離間させ、射出時に紐状部材を挟持状態から解放している解放手段とからなることを特徴とする射出ゲーム装置。
【請求項２】
装置本体内に設けられた目標物に向かって被射出体を射出する射出ゲーム装置であって、
被射出体を射出する射出装置を有し、
射出装置は、
被射出体を押し出す押出手段と、
押出手段に直接又は間接的に一端が接続され、他端が直接又は間接的に位置変更手段に接続されたバネ部材と、
装置本体に設けられ、位置変更手段の位置を変更してバネ部材を伸縮させ、バネ部材の弾性を変化させて被射出体の射出距離を変えられるようにしたことを特徴とする射出ゲーム装置。
【請求項３】
装置本体内に設けられた目標物に向かって被射出体を射出する射出ゲーム装置であって、
目標物は、景品と、景品を載置する載置台とからなり、
載置台には、被射出体の接触によって載置台を回動させ、景品を載置台から落下させる接触杆が傾動可能に設けられ、接触杆の傾きによって景品の取得の難易度を調整できるようにしたことを特徴とする射出ゲーム装置。
【発明の詳細な説明】
【技術分野】
【０００１】
本願発明は、景品等の目標物に向かって被射出体を射出する射出ゲーム装置に関するものである。
【背景技術】
【０００２】
従来の射出ゲーム装置は、特開平９−２６２３６５号公報、特開平１２−２８８２４０号公報に開示されているように、被射出体を目標物に向かって射出する射出装置と、被射出体に一端が連結された紐状部材と、射出装置によって射出させられた被射出体を射出装置の射出位置まで引き戻す引き戻し装置とからなっていた。
【特許文献１】特開平９−２６２３６５号公報
【特許文献２】特開平１２−２８８２４０号公報
【発明の開示】
【発明が解決しようとする課題】
【０００３】
従来の射出ゲーム装置は、引き戻し装置が、紐状部材の他端に接続された走行体であって、紐状部材の長さと同じ距離だけ走行体を移動距離させなければならず、走行体を収納する装置本体が走行体の移動距離を確保するため、大型化してしまうという問題点があった。また、被射出体は、バネ部材の弾性によって付勢された押出部材によって押し出されて射出させられるが、このバネ部材の弾性が常に一定であるため、射出距離を変えることができず、奥とか手前の目標物に狙いを定めて射出することができないという問題点があった。また、目標物となる景品は、平面上に置かれており、取得の難易度を変化させることができないという問題点があった。
【０００４】
本願発明は、上記問題点に鑑み案出したものであって、被射出体を引っ張る紐状部材の長さ考慮せずに製造できるので、小型化できる射出ゲーム装置を提供することを第１の目的とする。また、バネ部材の弾性を変化させ、射出距離を変えることができる射出ゲーム装置を提供することを第２の目的とする。さらにまた、景品取得の難易度を変化させることができる射出ゲーム装置を提供することを第３の目的とする。
【課題を解決するための手段】
【０００５】
本願請求項１に係る射出ゲーム装置は、上記第１の目的を達成するため、装置本体内に設けられた目標物に向かって被射出体を射出する射出ゲーム装置であって、被射出体を目標物に向かって射出する射出装置と、被射出体に一端が連結された紐状部材と、射出装置によって射出させられた被射出体を射出装置の射出位置まで引き戻す引き戻し装置とからなり、引き戻し装置は、紐状部材を挟持する一対のローラと、一方のローラを回動させて紐状部材を引き寄せ、被射出体を射出装置の射出位置まで引き戻す駆動手段と、他方のローラを一方のローラから離間させ、射出時に紐状部材を挟持状態から解放している解放手段とからなる。
【０００６】
本願請求項２に係る射出ゲーム装置は、上記第２の目的を達成するため、装置本体内に設けられた目標物に向かって被射出体を射出する射出ゲーム装置であって、被射出体を射出する射出装置を有し、射出装置は、被射出体を押し出す押出手段と、押出手段に直接又は間接的に一端が接続され、他端が直接又は間接的に位置変更手段に接続されたバネ部材と、装置本体に設けられ、位置変更手段の位置を変更してバネ部材を伸縮させ、バネ部材の弾性を変化させて被射出体の射出距離を変えられるようにした。
【０００７】
本願請求項３に係る射出ゲーム装置は、上記第３の目的を達成するため、装置本体内に
設けられた目標物に向かって被射出体を射出する射出ゲーム装置であって、目標物は、景品と、景品を載置する載置台とからなり、載置台には、被射出体の接触によって載置台を回動させ、景品を載置台から落下させる接触杆が傾動可能に設けられ、接触杆の傾きによって景品の取得の難易度を調整できるようにした。
【発明の効果】
【０００８】
本願請求項１に係る射出ゲーム装置は、被射出体を引っ張る紐状部材の長さ考慮せずに製造できるので、小型化できるという効果がある。本願請求項２に係る射出ゲーム装置は、被射出体を射出するバネ部材の弾性を変化させることができるので、射出距離を変えることができるという効果がある。本願請求項３に係る射出ゲーム装置は、被射出体が接触して景品を載置する載置台を傾ける接触杆の傾きを変えることができるので、景品取得の難易度を変化させることができるという効果がある。
【発明を実施するための最良の形態】
【０００９】
本願発明に係る射出ゲーム装置の実施の形態を図面に基づいて説明する。図１は、本願発明に係る射出ゲーム装置の一つの実施の形態を示す全体斜視図である。図２は、図１の要部斜視図である。図３は、図２の反対方向から視た要部斜視図である。図４は、本願発明に係る射出ゲーム装置の景品載置台の斜視図である。図５、６は、動作を説明する側面図である。
【００１０】
射出ゲーム装置は、装置本体内に設けられた目標物に向かって被射出体を射出する射出ゲーム装置であって、被射出体を目標物に向かって射出する射出装置と、被射出体に一端が連結された紐状部材と、射出装置によって射出させられた被射出体を射出装置の射出位置まで引き戻す引き戻し装置とからなり、引き戻し装置は、紐状部材を挟持する一対のローラと、一方のローラを回動させて紐状部材を引き寄せ、被射出体を射出装置の射出位置まで引き戻す駆動手段と、他方のローラを一方のローラから離間させ、射出時に紐状部材を挟持状態から解放している解放手段とからなる。
【００１１】
射出ゲーム装置は、装置本体内に設けられた目標物に向かって被射出体を射出する射出ゲーム装置であって、被射出体を射出する射出装置を有し、射出装置は、被射出体を押し出す押出手段と、押出手段に直接又は間接的に一端が接続され、他端が直接又は間接的に位置変更手段に接続されたバネ部材と、装置本体に設けられ、位置変更手段の位置を変更してバネ部材を伸縮させ、バネ部材の弾性を変化させて被射出体の射出距離を変えられるようにした。
【００１２】
射出ゲーム装置は、装置本体内に設けられた目標物に向かって被射出体を射出する射出ゲーム装置であって、目標物は、景品と、景品を載置する載置台とからなり、載置台には、被射出体の接触によって載置台を回動させ、景品を載置台から落下させる接触杆が傾動可能に設けられ、接触杆の傾きによって景品の取得の難易度を調整できるようにした。
【００１３】
さらに射出ゲーム装置１について詳細に説明する。射出ゲーム装置１は、ゲーム装置本体２を有する。ゲーム装置本体２は、矩形箱状に形成され、前壁３と、左壁５と、右壁６と、後壁７と、上壁８と、底壁９とからなる。前壁３の上部には、透過性を有する素材で形成された前面窓１１が設けられている。左壁５と右壁６の上部には、透過性を有する素材で形成された側面窓１２，１３が設けられている。前面窓１１と側面窓１２，１３によって、ゲーム装置本体２内を見ることができる。
【００１４】
前壁３の中央部には、操作部１５が突出して設けられている。操作部１５には、後記射出装置８０を上方に移動操作する上下操作釦１６と、射出装置８０の射出方向を操作する傾き操作釦１７と、射出装置８０の射出距離を調節する調節レバー１９と、コイン挿入口
２０が設けられている。また、前壁３の下部には、景品取出口２１が形成されている。
【００１５】
ゲーム装置本体２内には、略水平に中間壁２３が設けられている。中間壁２３は、略中央に景品落下口２５が形成され、景品落下口２５に向かって傾斜している。この景品落下口２５と景品取出口２１は、図示しない通路によって連通している。
【００１６】
ゲーム装置本体２内の後壁７には、景品Ｐを載置する載置台３０が取り付けられている。載置台３０は、載置板３１と、載置板３１の後端に略直角に設けられた後板３２と、載置板３１の両側端に略直角に設けられた扇状の右側板３３と左側板３４によって、様々な大きさに形成されている。この載置台３０は、略コ字状の取付部材３５に回動自在に取り付けられている。取付部材３５は、背面板３６と、背面板３６の両端に設けられた軸受け板３７，３７によって構成され、背面板３６がネジ、リベット等の固定部材３９によって後壁７に取り付けられている。なお、取付部材３５の位置は、自由に変更することができる。
【００１７】
載置台３０は、右側板３３が取付部材３５の右側の軸受け板３７に支軸４０によって回動自在に取り付けられ、左側板３４が取付部材３５の左側の軸受け板３７に支軸４０よって回動自在に取り付けられている。支軸４０，４０の位置は、載置台３０の後板３２側が重たくなり、載置台３０が後板３２側に傾くような位置である。載置台３０は、右側板３３に第１のストッパー部４１と第２のストッパー部４２が設けられている。
【００１８】
載置台３０は、自重により後側に傾くが、第１のストッパー部４１が右側の軸受け板３７に当接するので、この状態で位置が決められ、初期位置となる。載置台３０は、支軸４０，４０を中心として前側に傾き、景品Ｐを景品落下口２５側に落下させるが、第２のストッパー部４２が右軸受け板３７に当接するので、これ以上前側に傾くことがなく、自重により初期位置に戻る。
【００１９】
載置台３０の右側板３３及び左側板３４には、周縁に沿って湾曲した案内溝４４，４５が形成されている。この案内溝４４，４５に接触杆４６が設けられている。接触杆４６は、下部にネジ軸４７が設けられ、このネジ軸４７が案内溝４４又は４５に摺動自在に案内され、蝶ナット４９をネジ軸４７に締め付けることにより、右側板３３又は左側板３４に固定される。接触杆４６は、これのネジ軸４７が案内溝４５に摺動自在且つ回動自在となっているので、傾き及び高さを自由に変えることができる。
【００２０】
ゲーム装置本体２内の手前側には、奥に設けられた景品Ｐに向かって環状の被射出体７５を射出すつための射出装置８０と、この射出装置８０を移動させるための移動装置が設けられている。移動装置８０は、射出装置８０を初期位置から上下方向に移動させるための上下移動手段と、射出装置８０を初期位置から左右方向に傾ける傾動手段５０とからなる。
【００２１】
上下移動手段は、公知のものであり、図示しないが、左壁４と右壁６に設けられた案内レールと、案内レールの上部に設けられた遊動歯付ベルト車と、案内レールの下部に設けられた駆動歯付ベルト車と、遊動歯付ベルト車と駆動歯付ベルト車に巻き掛けられた歯付ベルトと、駆動歯付きベルト車を強制的に回転させる駆動モータと、この左右の歯付ベルトに両端がネジ等により固定された横架部材１０とからなる。
【００２２】
傾動手段５０は、筐体５１と、回動軸５２と、駆動モータ５３と、取付枠５５とからなる。筐体５１は、横架部材１０の略中央にネジ５６等によって固定されている。回動軸５２は、軸心が上下方向に向かうようにして、筐体５１に回動自在に取り付けられ、下部に平歯車５７が固定して設けられ、上端が筐体５１から突出して、この突出部５９に略コ字
状の取付枠５５が固定して取り付けられている。
【００２３】
駆動モータ５３は、筐体５１の一側に固定して取り付けられ、駆動軸に取り付けられた駆動歯車６０が前記平歯車５７と噛み合うようになっている。回転軸５２の略中心には、遮断片６２が固定して設けられている。筐体５１には、等間隔あけて３箇所に発光素子と受光素子とからなる公知の検知部品６３，６４，６５が設けられている。前記遮断片６２は、この公知の検知部品６３，６４，６４５の発光素子と受光素子間を通過するようになっている。
【００２４】
射出機構部７０は、前記取付枠５５にネジ等の固定手段７１によって取り付けられている。射出機構部７０は、略Ｌ字状の機枠７２を有する。機枠７２には、被射出体７５を射出する射出装置８０と、射出装置８０によって射出させられた被射出体７５を射出装置８０の射出位置まで引き戻す引き戻し装置１４０と、紐状部材７６を収納する収納部を有する。被射出体７５は、リング状に形成され、後端に案内軸が一体的に設けられている。紐状部材は、先端部が案内軸に植設されている。
【００２５】
射出装置８０は、被射出体７５を押し出す押出手段８１と、押出手段８１に間接的に一端が接続され、他端が直接的に位置変更手段に接続されたバネ部材８２と、押出手段８１を射出位置でロックするロック手段１１０と、押出手段８１をバネ部材８２の弾性に抗して射出位置まで押し戻す押し戻し手段とからなる。
押出手段８１は、矩形体状に形成され、前後方向に移動自在に案内されており、紐状部材７６を挿通する挿通孔８５が前後方向に向かって形成されている。押出手段８１は、両側に係合ピン８６，８６が設けられている。
【００２６】
押出手段８１は、一対の揺動部材９１，９２によって前方に押し出される。一対の揺動部材９１，９２は、下部に取り付けられた支軸９３によって機枠７２に揺動自在に取り付けられ、上部に前記押出手段８１の係合ピン８６，８６を係合する略Ｕ字状の切り欠き９５，９５が形成されている。一方の揺動部材９２には、バネ部材８２の一端８２ａが連結されている。バネ部材８２の他端８２ｂは、位置変更手段１００に連結されている。
【００２７】
位置変更手段１００は、機枠７２の前部に取り付けられた取付板１０１に設けられた駆動モータ１０２と、駆動モータ１０２の駆動軸に取り付けられた回転部材１０３と、回転部材１０３の偏心位置に突設された突設ピン１０５とからなる。前記バネ部材８２の他端８２ｂは、突設ピン１０５に連結されている。
【００２８】
ロック手段１１０は、係止部材１１１と、バネ部材１１２と、係止解除手段１１３とからなる。係止部材１１１は、一端がネジ１１５によって機枠７２に枢支され、上縁に係止凹部１１１６が形成されている。また、係止部材１１１の他端には、機枠７２に一端が取り付けられたバネ部材１１２の他端が取り付けられ、このバネ部材１１２の弾性により係止凹部１１６が他方の揺動部材９１に設けられた係止ピン９６を係止するようになっている。係止解除手段１１３は、通電することによって軸部１１７が没入するソレノイドであって、軸部１１７の先端が係止部材に枢着され、係止部材をを反係止方向に揺動させるようになっている。
【００２９】
押し戻し手段１２０は、機枠７２に設けられた断面略コ字状の案内路１２１に沿って前後方向に摺動するラック部材１２２と、機枠７２に設けられた駆動モータ１２３と、駆動モータ１２３の駆動軸に取り付けられ、前記ラック部材１２２と噛み合うた小歯車１２５とからなる。ラック部材１２２には、一方の揺動部材９２に取り付けられた係合ピン１２６と係合して一方の揺動部材９２をバネ部材８２の弾性に抗して後方に揺動させ、前記押出手段８１を射出装置８０の射出位置まで押し戻す係合部材１２７が設けられている。ま
た、ラック部材１２２は、後部に遮断片１２９が設けられている。遮断片１２９は、機枠７２の後部に設けられた、発光素子と受光素子とからなる公知の検知部品１３０の発光素子と受光素子間を通過するようになっている。
【００３０】
引き戻し装置１４０は、紐状部材を挟持する一対のローラ１４１，１４９と、一方のローラ１４１を回動させて紐状部材を引き寄せ、被射出体を射出装置８０の射出位置まで引き戻す駆動手段と、他方のローラを一方のローラから離間させ、射出時に紐状部材を挟持状態から解放している解放手段とからなる。
【００３１】
一対のローラは、押出手段の後部に配置されている。一方のローラ１４１は、大径であって、機枠７２に回動自在に取り付けられ、回転軸が機枠７２の一方から突出し上部プール１４２が設けられている。この上部プーリ１４２と、機枠７２に取り付けられた駆動モータ１４３の駆動軸に設けられた下部プーリ１４５には、ベルト１４６が巻き掛けられている。
【００３２】
他方のローラ１４９は、小径であって、略Ｔ字状の揺動部材１５０の先端に回動自在に取り付けられている。この揺動部材１５０は、これの略中心部が、機枠７２に取り付けられた支軸１５１によって回動自在に取り付けられ、支軸１５１に巻き掛けられたバネ部材によって他方のローラが一方のローラに圧接するようになっている。なお、バネ部材は、一端が機枠７２に設けられてピンに係合し、他端が揺動部材の先端側に係合して、他方のローラを一方のローラ側に付勢している。
【００３３】
揺動部材１５０の下部であって、支軸の後方には、係合部材１５５が突設して設けられている。この係合部材１５５には、機枠７２に設けられた駆動モータ１５６の駆動軸に取り付けられた回転杆１５７が係合し、バネ部材の弾性に抗して他方のローラを反圧接方向に回動させるようになっている。揺動部材は、後部に遮断片が設けられている。遮断片は、機枠７２の後部に設けられた、発光素子と受光素子とからなる公知の検知部品の発光素子と受光素子間を通過するようになっている。
【００３４】
前記した紐状部材は、押出手段の挿通孔に挿通され、前記一対のローラ間に挟持され、紐状部材の収納部に略Ｕ字状に垂下され、他端が機枠７２の一側に固定されている。なお、紐状部材には、リング状の錘部材が挿通され、この錘部材が紐状部材のＵ字状最下部に位置し、紐状部材が弛まないようにさせている。
機枠７２の前部には、水平部と湾曲部とからなる載置板がネジ等によって固定して取り付けられている。また、機枠７２の前部には、被射出体の両側面を案内する案内板が設けられている。
【００３５】
射出ゲーム装置１は、上記構成を有し、上下操作釦１６を押圧すると、射出装置８０が上方に移動し、押圧を解除すると、射出装置８０は停止する。傾き操作釦１７を押圧すると、駆動モータ５３が回転し、回動軸５２が回動して射出装置８０の射出向きが決められる。左右に設けられた検知部品６３，６４によって回動軸５２の回動範囲が規制され、中央の検知部品６４によって射出装置８０の正面方向が決められる。
【００３６】
調整レバー１９を下方に押し下げる。この押し下げ位置によって、バネ部材８２の弾性が変わるようになっいる。調整レバー１９を一番下まで下げると、駆動モータ１０２が回転して突設ピン１０５の位置が離れ、バネ部材８２が大きく伸ばされて弾性が大きくなり、あまり下げないと、駆動モータ１０２が回転して突設ピン１０５の位置が近づき、バネ部材８２の伸びが小さくなって弾性が小さくなる。弾性が大きい場合には、被射出体７５は遠くまで飛び、弾性が小さい場合には、被射出体７５はあまり遠くまで飛ばない。
【００３７】
調整レバー１９を下方に押し下げると、前記しようにその位置に対応して突設ピン１０５の位置が変化し、係止解除手段１１３が作動して、係止部材１１１が押し下げられ、係止ピン９６が係止部材１１１から外れて、押出手段８１が前記バネ部材８２の弾性により前方に移動し、被射出体７５を前方に射出する。なお、射出時に、駆動モータ１５６が作動して、回転杆１５７を回転させ、バネ部材１５２の弾性に抗して他方のローラ１４９を一方のローラ１４１から離間させられ、紐状部材７６は他方のローラ１４９と一方のローラ１４１によって挟持されていない。
【００３８】
被射出体７５が射出させられた後、駆動モータ１５６が作動して、回転杆１５７を元の位置に復帰させ、バネ部材１５２の弾性によって他方のローラ１４９と一方のローラ１４１によって紐状部材７６を挟持する。駆動モータ１２３が回転して小歯車１２５によりラック部材１２２が、遮断片１２９が検知部品１３０に検知されるまで押し戻され、ラック部材１２２に設けられた係合部材１２７が係合ピン１２６を介して、バネ部材８２の弾性に抗して揺動部材９２を後方に傾け、射出手段８０を射出装置８０の射出位置に復帰させる。
【００３９】
駆動モータ１４３を駆動してベルト１４６を介して一方のローラ１４１を回転させ、射出によって伸ばされた紐状部材７６を引き戻すことになる。引き戻された紐状部材７６は射出機構部７０の収納部７８に略Ｕ字状に垂下されて収納される。被射出体７５が元の位置に復帰したことを検知手段１５８が検知すると、駆動モータ１４３の回転が停止する。
【００４０】
被射出体７５が接触杆４６に引っかかると、載置台３０が傾いて景品Ｐが景品落下口２５に落下し、景品取出口２１から景品を取り出すことができる。なお、接触杆４６は、前記したように高さ及び傾きを変えることができるので、景品取得の難易度を変えることができる。
【図面の簡単な説明】
【００４１】
【図１】本願発明に係る射出ゲーム装置の一つの実施の形態を示す全体斜視図である。
【図２】図１の要部斜視図である。
【図３】図２の反対方向から視た要部斜視図である。
【図４】本願発明に係る射出ゲーム装置の景品載置台の斜視図である。
【図５】射出ゲーム装置の動作を説明する側面図である。
【図６】射出ゲーム装置の動作を説明する側面図である。
【符号の説明】
【００４２】
Ｐ  景品
１  射出ゲーム装置
２  ゲーム装置本体
３  前壁
５  左壁
６  右壁
７  後壁
８  上壁
９  底壁
１０  横架部材
１１  前面窓
１２  側面窓
１３  側面窓
１５  操作部
１６  上下操作釦
１７  傾き操作釦
１９  調節レバー
２０  コイン挿入口
２１  景品取出口
２３  中間壁
２５  景品落下口
３０  載置台
３１  載置板
３２  後板
３３  右側板
３４  左側板
３５  取付部材
３６  背面板
３７  軸受け板
３９  固定部材
４０  支軸
４１  第１のストッパー部
４２  第２のストッパー部
４４  案内溝
４５  案内溝
４６  接触杆
４７  ネジ軸
４９  蝶ナット
５０  傾動手段
５１  筐体
５２  回動軸
５３  駆動モータ
５５  取付枠
５６  ネジ
５７  平歯車
５９  突出部
６０  駆動歯車
６２  遮断片
６３  検知部品
６４  検知部品
６５  検知部品
７０  射出機構部
７１  固定手段
７２  機枠
７５  被射出体
７６  紐状部材
８０  射出装置
８１  押出手段
８２  バネ部材
８２ａ  一端
８２ｂ  他端
８５  挿通孔
８６  係合ピン
９１  揺動部材
９２  揺動部材
９３  支軸
９５  切り欠き
９６  係止ピン
１００  位置変更手段
１０１  取付板
１０２  駆動モータ
１０３  回転部材
１０５  突設ピン
１１０  ロック手段
１４０  引き戻し装置
１１０  ロック手段
１１１  係止部材
１１２  バネ部材
１１３  係止解除手段
１１５  ネジ
１１６  係止凹部
１１７  軸部
１２０  押し戻し手段
１２１  案内路
１２２  ラック部材
１２３  駆動モータ
１２５  小歯車
１２６  係合ピン
１２７  係合部材
１２９  遮断片
１３０  検知部品
１４０  引き戻し装置
１４１  一方のローラ
１４２  上部プーリ
１４３  駆動モータ
１４５  下部プーリ
１４６  ベルト
１４９  他方のローラ
１５０  揺動部材
１５１  支軸
１５５  係合部材
１５６  駆動モータ
１５７  回転杆
【図１】
2006051384.tif 000003
【図２】
2006051384.tif 000004
【図３】
2006051384.tif 000005
【図４】
2006051384.tif 000006
【図５】
2006051384.tif 000007
【図６】
2006051384.tif 000008
【手続補正書】
【提出日】平成17年10月18日(2005.10.18)
【手続補正１】
【補正対象書類名】特許請求の範囲
【補正対象項目名】全文
【補正方法】変更
【補正の内容】
【特許請求の範囲】
【請求項１】
装置本体内に設けられた目標物に向かって被射出体を射出する、下記の要件を備えたことを特徴とする射出ゲーム装置。
（イ）被射出体を目標物に向かって射出する射出装置と、被射出体に一端が連結され、他端が装置本体に連結された紐状部材と、射出装置によって射出させられた被射出体を射出装置の射出位置まで引き戻す引き戻し装置とを有すること。
（ロ）引き戻し装置は、紐状部材を挟持する一対のローラと、一方のローラを回動させて紐状部材を引き寄せ、被射出体を射出装置の射出位置まで引き戻す駆動手段と、射出時に他方のローラを一方のローラから離間させ、紐状部材を挟持状態から解放する解放手段とを有すること。
【請求項２】
下記の要件を備えたことを特徴とする請求項１記載の射出ゲーム装置。
（イ）前記目標物は、景品と、景品を載置する載置台とからなること。
（ロ）前記載置台には、前記被射出体の接触によって載置台を回動させ、景品を載置台から落下させる接触杆が傾動可能に設けられていること。
（ハ）前記接触杆は、傾きによって景品の取得の難易度を調整できるようにしたこと。
【手続補正２】
【補正対象書類名】明細書
【補正対象項目名】０００４
【補正方法】変更
【補正の内容】
【０００４】
本願発明は、上記問題点に鑑み案出したものであって、被射出体を引っ張る紐状部材の長さを考慮せずに製造できるので、小型化できる射出ゲーム装置を提供することを第１の目的とする。また、景品取得の難易度を変化させることができる射出ゲーム装置を提供することを第２の目的とする。
【手続補正３】
【補正対象書類名】明細書
【補正対象項目名】０００５
【補正方法】変更
【補正の内容】
【０００５】
本願請求項１に係る射出ゲーム装置は、上記第１の目的を達成するため、装置本体内に設けられた目標物に向かって被射出体を射出する射出ゲーム装置であって、下記の要件を備えたことを特徴とする。
（イ）被射出体を目標物に向かって射出する射出装置と、被射出体に一端が連結され、他端が装置本体に連結された紐状部材と、射出装置によって射出させられた被射出体を射出装置の射出位置まで引き戻す引き戻し装置とを有すること。
（ロ）引き戻し装置は、紐状部材を挟持する一対のローラと、一方のローラを回動させて紐状部材を引き寄せ、被射出体を射出装置の射出位置まで引き戻す駆動手段と、射出時に他方のローラを一方のローラから離間させ、紐状部材を挟持状態から解放する解放手段とを有すること。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本願請求項２に係る射出ゲーム装置は、上記第２の目的を達成するため、下記の要件を備えたことを特徴とする。
（イ）前記目標物は、景品と、景品を載置する載置台とからなること。
（ロ）前記載置台には、前記被射出体の接触によって載置台を回動させ、景品を載置台から落下させる接触杆が傾動可能に設けられていること。
（ハ）前記接触杆は、傾きによって景品の取得の難易度を調整できるようにしたこと。
【手続補正６】
【補正対象書類名】明細書
【補正対象項目名】０００８
【補正方法】変更
【補正の内容】
【０００８】
本願発明に係る射出ゲーム装置は、被射出体を引っ張る紐状部材の長さを考慮せずに製造できるので、小型化できるという効果がある。また、本願発明に係る射出ゲーム装置は、被射出体が接触して景品を載置する載置台を傾ける接触杆の傾きを変えることができるので、景品取得の難易度を変化させることができるという効果がある。